(57)【要約】      （修正有）【課題】  散歩者の腰にベルトが食い込み、腰に大きな負担とならない犬の散歩ベルトを提供する。【解決手段】  腰ベルト２に腰当てパット１を腰後方部に挿入して、犬の引っ張り力から腰を守り、またフックホルダー３を腰ベルト２前方に自在に移動出来るように組み合わせて、犬の急激な左右の引っ張り力で身体バランスが崩れないようにすると共に、メインリード８からの引っ張り支点をフックホルダー３腰前方約１２ｃｍとして、腰ベルト２、及びショルダーベルト６に力を均等に分散させる事で、犬の引っ張り力を身体全体で受け止める事が出来る。またメインリード８にはリード緩衝バネ１１が連結されている事で、犬の引っ張り力の揺動を軽減し散歩者に掛かる負荷を軽減している。【選択図】図１
2007236261.tif 000002
【特許請求の範囲】
【請求項１】
輪状部材で長さ調整可能な腰ベルトの後部に、菱形に形成された腰当てパットを挿入して組み合わせ、腰ベルト前方に革製のフックホルダーを挿入し、フックホルダーの先端部のフックに瓢箪型金具のリード取り付けフックを連結し、更にリード取り付けフックに輪状針金部材のショルダー取り付けリングをセットし、輪状部材の長さ調整可能なショルダーベルトの両端にある取り外し可能なフックを、輪状針金部材のショルダー取り付けリングに接続して組み合わせた引っ張り癖犬対応散歩ベルト。
【請求項２】
輪状部材の調整可能な腰ベルトの前方に、引っ張り癖犬が左右に急激に引っ張っても自在に移動し、衝撃を和らげるように取り付けられた革製のフックホルダー、更にのもう一つの機能として、フックホルダーの先端部を腰ベルト約１２ｃｍ程度前方にする事で、リード取り付け支点が前方位置となり、引っ張り癖犬の引っ張り力を腰ベルト及び、ショルダーベルトに均等に分散する事が出来る構造を有する、引っ張り癖犬対応散歩ベルト。
【請求項３】
散歩者の身体に取り付けるベルト部と引っ張り癖犬の首輪を繋ぐリード部は、革製のフックホルダーに接続した瓢箪型金具のリード取り付けフックに、メインリードの一方の端を連結し、もう一方の端を犬の引っ張り力の揺動を緩衝する為のリード緩衝バネに連結して犬の首輪に繋がれ、更にこのメインリードと平行して、瓢箪型金具のリード取り付けフックにコントロールリードと連結したコントロールリードハンドの一端を接続し、コントロールリードの一端を緩衝バネフックに接続する事で、引っ張り癖犬をコントロールする際に、メインリード及びリード緩衝バネを介さずにコントロールリードを使用する事で、リード緩衝バネに急激な力が掛らず、バネが伸びきらないようにした構造を有する引っ張り癖犬対応散歩ベルト。
【請求項４】
メインリードに連結されたリード緩衝バネは、引っ張り癖犬の引っ張り力の揺動を緩衝する為にあり、リード緩衝バネには犬の引っ張り力でバネが伸びきらないように、リード緩衝バネストッパーが内蔵されている構造を有する、引っ張り癖犬対応散歩ベルト。
【発明の詳細な説明】
【技術分野】
【０００１】
本発明は、犬の散歩時に於いて、引っ張り癖の有る犬に対応する為に、人間に装着する為の散歩ベルトで、腰ベルト、腰当てパッド、フックホルダー、リード取り付けフック、ショルダーベルト、メインリード、コントロールリードハンド、コントロールリード、リード緩衝バネ、リード緩衝バネストッパーで構成された引っ張り癖犬対応散歩ベルトに関するものである。
【背景技術】
【０００２】
従来、犬散歩用ベルトは、犬の散歩者の負担を軽減するために、多種考案されて来ました。
【０００３】
特許第３５９９７３５号におけるペット動物散歩用引き綱装着用ベルトは、犬等のペット動物の散歩時に急激な行動等による衝撃力で腕、肩等を痛め、肩凝りや腱鞘炎を引き起こす事が無く、人間が転倒して怪我をする事がないように、その衝撃力を分散するものである。
【特許文献１】特許第３５９９７３５号公報
【発明の開示】
【発明が解決しようとする課題】
【０００４】
しかし、上述した特許文献のペット動物散歩用引き綱装着用ベルトは、引っ張り癖の有る犬に対しての対応策が講じられていない。腰ベルトとショルダーベルトの組み合わせで作成されてはいるが、腰ベルトが全体的に細く、引っ張り癖のある犬に長時間引っ張られて散歩すると腰ベルトが散歩者の腰に食い込んで負荷が掛かり、腰を痛めてしまう結果になる。
【０００５】
ショルダーベルトについては、腰ベルトとショルダーベルトの結合は、前方では縫い合わせてあり、ショルダーベルトの後方は長さ調整部材により接続されている。これではリードとの接続支点が直接、腰ベルトにあり、引っ張り癖犬の引っ張り力が腰ベルトのみに掛り、ショルダーベルトには全く分散されない。
【０００６】
リードの取り付け部分が腰ベルトに直接、縫い合わされて固定されており、犬の急激な左右の動きに対して、腰ベルト自体が捻られて散歩者の身体の不安定を招く事になる。
【０００７】
腰ベルトに縫い合わされたリードが、リードフックによって犬の首輪に直接連結されており、長時間の散歩中に犬の引っ張り力の揺動が散歩ベルトに伝わり、散歩者の腰に負担を与える。
【０００８】
本発明は上述した、このような引っ張り癖の有る犬の散歩に於ける問題点に対して、解決する事が出来る、引っ張り癖犬対応散歩ベルトを提供する事である。
【課題を解決するための手段】
【０００９】
上述の目的を達成する本発明の、引っ張り癖犬対応散歩ベルトは、輪状部材の脱着可能で長さ調整可能な腰ベルトを装備し、腰ベルト後方に菱形の腰当てパッドを挿入して組み合わせる事により、引っ張り癖犬の引っ張り力から装着者の腰を保護する。菱形の腰当てパットは、散歩者の夏場の身体の蒸れを解消する為や、腰当てパッドの軽量化を図る為にいくつもの通気口が開けられている。
【００１０】
革製のフックホルダーを腰ベルト前方に、自在に移動できる状態で組み合わせ、腰ベルトからフックホルダーの先端フックまでの長さを約１２ｃｍ程度として、瓢箪型金具のリード取り付けフックを接続し、更にリード取り付けフックに輪状針金部材のショルダー取り付けリングをセットし、長さ調整可能な輪状部材のショルダーベルトの両先端の脱着可能なフックにより、輪状針金部材のショルダー取り付けリングに接続する。
【００１１】
革製のフックホルダーに取り付けられた瓢箪型金具のリード取り付けフックに、メインリードの一方端部を取り付け、犬の首輪側のもう一方の端部にリード緩衝バネが取り付けられている。リード緩衝バネにはリード緩衝バネストッパーが内蔵されている。
【００１２】
瓢箪型金具のリード取り付けフックにメインリードと平行して、コントロールリードハンドを連結し、更にコントロールリードハンドのもう一方の端のフックにコントロールリードを接続し、コントロールリードのもう一方の端を緩衝バネフックに連結する。コントロールリードはメインリード及びリード緩衝バネを介さないで、緩衝バネフックに直接連結して、犬の首輪に繋がれている。
【００１３】
以上のように本発明の引っ張り癖犬対応散歩ベルトは構成されているので、犬との散歩において、引っ張り癖のある犬に長時間引っ張られても、その力は腰当てパット付き腰ベルト及びショルダーベルトに均等に分散され、散歩者の身体に対しての負荷が解消される事で、全国的に数多くいると思われる、引っ張り癖の有る飼い犬の散歩も楽に出来ようになり、更に散歩中、引っ張り癖犬に引っ張られる事により、散歩者自身の散歩も楽になる二次的効果も有る。
【００１４】
このように引っ張り癖犬対応散歩ベルトを使用する事によって、楽に散歩が出来ることで、愛犬にとっても飼い主にとっても良い関係が構築され又、双方の身体的、精神的健康にも役立つ。
【発明の効果】
【００１５】
以上のように、この発明は引っ張り癖の犬に対応する為の散歩ベルトであり、引っ張り癖の有る犬との散歩に於いて、リードを持っての散歩のように腕、肩等を痛める事がなく又、引っ張り癖犬の引っ張り力を、腰当てパット付き腰ベルト及び、ショルダーベルトによって均等に分散される事によって、従来の散歩ベルトのように散歩者の腰を痛める事もなくなる。又、引っ張り癖の有る犬との散歩は、飼い主にとって体力的に余りにも負担が掛かり、その結果、犬との散歩を控えるようになり、家で鎖に繋いだまま飼うと云う最悪な環境が作りだされ、犬にとっても、飼い主にとっても不幸ことになる。それらの問題を解決する為に、引っ張り癖犬対応散歩ベルトは有効な手段となる。
【発明を実施するための最良の形態】
【００１６】
以下、本発明の実施の形態を図に基づいて説明する。
【００１７】
図１は、この発明の実施形態に従った引っ張り癖犬対応散歩ベルトを示す斜視図である。
【００１８】
図１に示すように、引っ張り癖犬対応散歩ベルトは、輪状部材の腰ベルト２に挿入された菱形部材の腰当てパット１と、輪状部材のショルダーベルト６と瓢箪型金具のリード取り付けフック４に連結されたメインリード８、更にリード取り付けフック４に連結されたコントロールリードハンド９とそれを繋ぐコントロールリード９Ｂ、（メインリード８と平行に取り付けられている）及びリード緩衝バネ１１とリード緩衝バネ１１に内蔵されたリード緩衝バネストッパー１１Ａを備える。
【００１９】
引っ張り癖犬対応散歩ベルトを形成する部材として、輪状部材の腰ベルト２は、散歩者１００の腰のサイズに合わせて長さを調整するためのバックル２Ａを備え、更に腰ベルト２後方には菱形部材の腰当てパット１が、パット面の両端に２カ所ずつ縦に切り目を入れて穴を開け、腰ベルト２を挿入して装備される。また、腰当てパット１の面に、身体に対して通気性を良くするため及び、軽量化のために、直径１ｃｍの穴１Ａを横列に約５３個開けている。
【００２０】
腰ベルト２の前方に取り付けられる革製のフックホルダー３は、付け根が輪状になっていて、その部分に腰ベルト２を挿入して、自在に移動できるように取り付けられている。腰ベルト２よりフックホルダー３の先端までの長さを約１２ｃｍ程度とし、革製のフックホルダー３の先端のフック３Ａに、瓢箪型金具のリード取り付けフック４が結合されている。更に輪状針金部材のショルダーベルト取り付けリング５が瓢箪型金具のリード取り付けフック４にセットされている。ショルダーベルト取り付けリング５に、輪状部材のショルダーベルト６を、両端にある脱着可能なショルダーベルトフック６Ｃで接続する。ショルダーベルト６には、散歩者１００の身体に合わせて長さを調整できるタックル６Ｂが装備されており、また、散歩者１００の肩の接触部にセットされるショルダーベルトパット６Ａが挿入されている。
【００２１】
引っ張り癖犬対応散歩ベルトと、引っ張り癖犬２００の首輪までを繋ぐ、メインリード８は瓢箪型金具のリード取り付けフック４に連結され、メインリード８のもう一方の端は、リード緩衝バネ１１に連結されている。更にコントロールリードハンド９は瓢箪型金具のリード取り付けフック４に連結され、もう一方の端はコントロールリード９Ｂに連結されてメインリード８に平行して取り付けられている。コントロールリード９Ｂのもう一方端は、メインリード８に取り付けられたコントロールリードガイド金具１０とメインリードフック８Ａの輪部を貫通し、緩衝バネフック１２に取り付けられている。メインリード８に連結されたリード緩衝バネ１１には、リード緩衝バネストッパー１１Ａが内蔵されていて、緩衝バネフック１２により引っ張り癖犬２００の首輪に繋がれている。
【００２２】
腰ベルトにはその他、携帯電話ホルダー７、万歩計（登録商標）７Ａ、犬の糞処理一式入れポーチがセットされている。
【００２３】
図２は、この発明の実施形態に従った、引っ張り癖犬対応散歩ベルトを散歩者１００に装備して、引っ張り癖犬２００に引っ張られて散歩中の状態を示す斜視図である。
【００２４】
図１に示す引っ張り癖犬対応散歩ベルトを散歩者１００の身体に装着する為には、図２に示すように輪状部材の腰ベルト２をバックル２Ａにより長さを腰に合わせて調節し、革製のフックホルダー３を腰前方に取り付け、更に菱形の腰当てパット１を腰後方に取り付けた腰ベルト２を、散歩者１００の腰に装着する。
【００２５】
腰ベルト２前方に取り付けられた革製のフックホルダー３に、瓢箪型金具のリード取り付けフック４接続し、更にリード取り付けフック４に輪状針金部材のショルダーベルト取り付けリング５を取り付ける。更にショルダーベルト取り付けリング５に脱着可能なショルダーベルトフック６Ｃの片端を接続し、散歩者１００の身体の肩部に輪状部材のショルダーベルト６を上方より掛け、もう片端の脱着可能なショルダーベルトフック６Ｃを腰左側下方より、輪状針金部材のショルダーベルト取り付けリング５に接続する。輪状部材のショルダーベルト６はタックル６Ｂにより身体に合わせて調整する事ができる。
【００２６】
瓢箪型金具のリード取り付けフック４に、メインリード８が連結され、メインリード８のもう一方の端、金具のメインリードフック８Ａにリード緩衝バネ１１が取り付けられている。リード緩衝バネ１１にはリード緩衝バネストッパー１１Ａ内蔵されている、更に、リード緩衝バネ１１のもう一方の先端に金具の緩衝バネフック１２がセットされ、緩衝バネフック１２によって引っ張り癖犬２００の首輪に連結される。
【００２７】
瓢箪型金具のリード取り付けフック４に、握部としてのコントロールリードハンド９が連結され、もう一方の端に金具のコントロールリードハンドフック９Ａが有り、コントロールリード９Ｂが連結されている。コントロールリード９Ｂのもう一方の先端にも金具のコントロールリードフック９Ｃがあり、緩衝バネフック１２に結合されて、引っ張り癖犬２００の首輪に繋がれている。メインリード８のリード緩衝バネ１１を介せず、コントロールリード９Ｂによって、引っ張り癖犬２００のコントロールができるようになっている。またコントロールリード９Ｂは、メインリード８の中間位置に取り付けられた、コントロールリードガイド金具１０を貫通し、金具のメインリードフック８Ａの付け根輪状部を貫通して、メインリード８と平行に緩衝バネフック１２に接続されて、引っ張り癖犬２００の首輪に繋がれている。
【００２８】
図３は、本発明の実施形態に従った、引っ張り癖犬対応散歩ベルトを散歩者１００に装備した状態での、フックホルダー３部の拡大斜視図である。
【００２９】
図２に示すように、引っ張り癖犬対応散歩ベルトで散歩者１００が引っ張り癖犬２００と散歩する場合。引っ張り癖犬２００の引っ張り力を輪状部材の腰ベルト２及輪状部材のびショルダーベルト６に分散させるため、革製のフックホルダー３を腰ベルト２の前方に取り付ける。その取り付け位置からフックホルダー３の先端位置までの長さを約１２ｃｍ程度として、引っ張り力の支点を前方に置く事で、散歩者１００の身体に取り付けた輪状部材の腰ベルト２と輪状部材のショルダーベルト６に引っ張り力を均等に分散させる。
【００３０】
図４は、本発明の実施形態に従った引っ張り癖犬対応散歩ベルトに接続したメインリード８の先端に取り付けるリード緩衝バネ１１、及び、リード緩衝バネ１１に内蔵される、リード緩衝バネストッパー１１Ａと緩衝バネフック１２の斜視図である。
【００３１】
図２に示すように、引っ張り癖犬対応散歩ベルトで散歩者１００が散歩する場合、引っ張り癖犬２００の引っ張り力の揺動を散歩者１００に掛からないように、リード緩衝バネ１１がメインリード８と引っ張り癖犬２００の首輪の間にセットされている。更にリード緩衝バネ１１にはリード緩衝バネストッパー１１Ａが内蔵されている。リード緩衝バネストッパー１１Ａは二本の鋼鉄針金を組み合わせ、片側の針金の先端を輪状にし９０度折り曲げ、更にもう片側の針金を同じように、先端を輪状にして９０度折り曲げ、先端の輪の中に、もう一方の針金の先端を交互に通して、リード緩衝バネ１１に内蔵させ、更に左右の針金の先端を、バネの取り付け輪部と同じ大きさの輪にして、リード緩衝バネ１１の内部に取り付ける。
【００３２】
引っ張り癖犬対応散歩ベルトを散歩者１００に装着する事で、図２に示すように、散歩中に於いて引っ張り癖犬２００の長い時間の引っ張り力を、輪状部材の腰ベルト２と輪状部材のショルダーベルト６に、以下の理由により分散する事で、散歩者１００の身体に掛かる負荷を軽減する事ができる。
【００３３】
輪状部材の腰ベルト２後方に菱形の腰当てパッド１が挿入されている。これは引っ張り癖犬２００の引っ張り力が腰ベルト２に掛かり、散歩者１００の腰に食い込んでしまい腰痛を起こす事を防ぐ役目をしている。
【００３４】
図３に示すよに、輪状部材の腰ベルト２前方に革製のフックホルダー３を挿入してセットし、フックホルダー３の先端金具フック３Ａに、瓢箪型金具のリード取り付けフック４を接続して、更に輪状針金部材のショルダーベルト取り付けリング５をセットし、その位置（腰ベルト２より前方約１２ｃｍ程度）で輪状部材のショルダーベルト６が連結される事により、引っ張り癖犬２００の力が輪状部材の腰ベルト２及び、輪状部材のショルダーベルト６に対して均等に力が分散される。
【００３５】
革製のフックホルダー３は輪状部材の腰ベルト２前方に自在に移動できるようセットされており、引っ張り癖犬２００が散歩者１００を急激に左右に引っ張った場合、革製のフックホルダー３が左右に移動して、衝撃を吸収し散歩者１００の転倒を防ぐ。
【００３６】
革製のフックホルダー３を介して、瓢箪型金具のリード取り付けフック４に、メインリード８が連結されて、メインリード８のもう一方の端にはリード緩衝バネ１１が取り付けられている。リード緩衝バネ１１は引っ張り癖犬２００の力の揺動を柔らげて、散歩者１００の身体に装着された輪状部材の腰ベルト２及び、輪状部材のショルダーベルト６に掛かる負担を軽減している。
【００３７】
リード緩衝バネ１１には、リード緩衝バネ１１が引っ張り癖犬２００の急激な引っ張り力で伸びきらないように、リード緩衝バネストッパー１１Ａが内蔵されている。リード緩衝バネの中にセットされているリード緩衝バネストッパー１１Ａは、リード緩衝バネ１１が引っ張られ伸びる事で、その引っ張り力が弱まると同時にリード緩衝バネストッパー１１Ａに掛かる力も弱まるので、鋼鉄の針金でも充分に強度が保たれる
【００３８】
瓢箪型金具のリード取り付けフック４にコントロールリードハンド９がメインリード８と平行して連結され、もう一方の端をコントロールリード９Ｂと連結し、金具の緩衝バネフック１２を介して引っ張り癖犬２００の首輪に連結している。コントロールリードハンド９は、引っ張り癖犬２００をコントロールをする為に、輪状にして手で持ちやすくしている。散歩者１００がメインリード８を使って、引っ張り癖犬２００をコントロールしょうとすると、リード緩衝バネ１１に急激な負荷が掛かりバネが伸びきる可能性があり、これを防ぐためコントロールリード９Ｂにより、引っ張り癖犬２００のコントロールを行う。またメインリード８とコントロールリード９Ｂの、二つのリードを平行に使用する事によって、強度が増し細く軽いメインリード８を使う事ができる。
【００３９】
引っ張り癖犬対応散歩ベルトは、散歩中、引っ張り癖犬２００の長時間の引っ張り力から、散歩者１００の負担を軽くする事で、引っ張り癖犬との散歩を楽にする事を目的とする。また家に繋がれたままの引っ張り癖犬２００を改めて散歩に連れ出す事が出来るようにする事を可能とし、それによって飼い主と愛犬の関係が良くなる事で双方の精神的、身体的健康を得ることが出来る。引っ張り癖犬２００の最大の欠点である犬の引っ張り力で散歩者１００を引っ張る事で、散歩者１００にとって楽な散歩ができるようになる二次的要因も生まれる。また散歩ベルトを使う事で両手が自由になり、散歩者１００自身の健康を目指す為のウォーキングも可能となり、腰に当たるパッド１が継続的に身体を引くことにより、散歩者１００の身体の姿勢を矯正する効果も得られる。
【実施例】
【００４０】
過去にいくつもの犬散歩ベルトが考案されているが、色々な問題点が有り一般に普及するまでに至ってはいない。
【産業上の利用可能性】
【００４１】
引っ張り癖の有る犬を飼っていて、犬に引っ張られての散歩が余りにも大変と云う理由で、犬の散歩に困っている一般家庭に普及する可能性は大きい。又健康の為にウォーキングをしたいが恥ずかしいので、犬の散歩に託けてウォーキングをしたい方に普及する可能性もある。引っ張り癖犬散歩ベルトの接続部は、殆どが金具フック方式で有ため構造上簡単で制作費が安く、低価格で提供できる事により、手頃に買えると云う理由で普及する可能性がある。
【図面の簡単な説明】
【００４２】
【図１】本発明の実施形態に従った、引っ張り癖犬対応散歩ベルトを示す外観斜視図である。
【図２】本発明の実施形態に従った、引っ張り癖犬対応散歩ベルトを散歩者に装着して、引っ張り癖の犬に引っ張られて散歩している状態を示す斜視図である。
【図３】本発明の実施形態に従った、引っ張り癖犬対応散歩ベルトを散歩者に装着した状態での、フックホルダー部の拡大斜視図である。
【図４】本発明の実施形態に従った、引っ張り癖犬対応散歩ベルトに接続した、リード部の先端に取り付けるリード緩衝バネ、及びリード緩衝バネに内蔵される、リード緩衝バネストッパーとリード取り付けフックの斜視図である。
【符号の説明】
【００４３】
１        腰当てパット
１Ａ      腰当てパット軽量化穴及び通気口
１Ｂ      腰ベルトの取り付け切り込み口
２        腰ベルト
２Ａ      バックル
３        フックホルダー
３Ａ      フック
４        リード取り付けフック
５        ショルダーベルト取り付けリング
６        ショルダーベルト
６Ａ      ショルダーベルトパット
６Ｂ      タックル
６Ｃ      ショルダーベルトフック
７        携帯電話ホルダー
７Ａ      万歩計（登録商標）
７Ｂ      犬の糞処理一式入れポーチ
８        メインリード
８Ａ      メインリードフック
９        コントロールリードハンド
９Ａ      コントロールリードハンドフック
９Ｂ      コントロールリード
９Ｃ      コントロールリードフック
１０        コントロールリードガイド金具
１１        リード緩衝バネ
１１Ａ      リード緩衝バネストッパー
１２        緩衝バネフック
１００        散歩者
２００        引っ張り癖犬
【図１】
2007236261.tif 000003
【図２】
2007236261.tif 000004
【図３】
2007236261.tif 000005
【図４】
2007236261.tif 000006
【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
輪状部材で長さ調整可能な腰ベルトの後部に、菱形に成形された腰当てパットを挿入して組み合わせ、腰ベルト前方に革製のフックホルダーを挿入し、フックホルダーの先端部のフックに瓢箪型金具のリード取り付けフックを連結し、更にリード取り付けフックに輪状針金部材のショルダー取り付けリングをセットし、輪状部材の長さ調整可能なショルダーベルトの両端にある取り外し可能なフックを、輪状針金部材のショルダー取り付けリングに接続して組み合わせた引っ張り癖犬対応散歩ベルト。
【請求項２】
請求項１に記載された引っ張り癖犬対応散歩ベルトにおいて、輪状部材の調整可能な腰ベルトの前方に、引っ張り癖犬が左右急激に引っ張っても自在に移動し、衝撃を和らげるように取り付けられた革製のフックホルダー、及びフィックホルダーの先端部が、腰ベルトより約１２ｃｍ程度前方に位置する事で、リード取り付け支点が前方となり、引っ張り癖犬の引っ張り力が、腰ベルト及びショルダーベルトに均等に分散することが出来る構造を有する、引っ張り癖犬対応散歩ベルト。
【請求項３】
請求項１、又は請求項２に記載された引っ張り癖犬対応散歩ベルトにおいて、散歩者に取り付けるベルトの部分と引っ張り癖犬との間を繋ぐメインリードは、革製のフックホルダーに接続した瓢箪型金具のリード取り付けフックに一方の端を接続し、もう一方の端を犬の引っ張り力の揺動を緩衝する為のリード緩衝バネに接続し、更にメイ  ンリードと平行して、瓢箪型金具のリード取り付けフックにコントロールリードと連結したコントロールリードハンドの端を接続し、コントロールリードのもう一方の端を緩衝バネフックに連結しすることで、引っ張り癖犬をコントロールする際に、メインリード及びリード緩衝バネを介さずに、コントロールリードと連結されたコントロールハンドを使って行う事で、リード緩衝バネに急激な力を与えずに、バネが伸びきらないようにした構造を有する引っ張り癖犬対応散歩ベルト。
【請求項４】
請求項３に記載された引っ張り癖犬対応散歩ベルトにおいて、リード緩衝バネは犬の引っ張り力の揺動を緩衝する為にあり、更にリード緩衝バネには緩衝バネが犬の引っ張り力で伸びきらないように、リード緩衝バネストッパーが内蔵されている構造を有する引っ張り癖犬対応散歩ベルト。
【手続補正２】
【補正対象書類名】明細書
【補正対象項目名】００１５
【補正方法】変更
【補正の内容】
【００１５】
以上のように、この発明は引っ張り癖の犬に対応する為の散歩ベルトであり、引っ張り癖の有る犬との散歩に於いて、リードを持っての散歩のように腕、肩等を痛める事がなく又、引っ張り癖犬の引っ張り力を、腰当てパット付き腰ベルト及び、ショルダーベルトによって均等に分散される事によって、従来の散歩ベルトのように散歩者の腰を痛める事もなくなる。又、引っ張り癖の有る犬との散歩は、飼い主にとって体力的に余りにも負担が掛かり、その結果、犬との散歩を控えるようになり、家で鎖に繋いだまま飼うと云う最悪な環境が作りだされ、犬にとっても、飼い主にとっても不幸なことになる。それらの問題を解決する為に、引っ張り癖犬対応散歩ベルトは有効な手段となる。